(57)【要約】【課題】棒状の商品が取り出しやすく、使用形態に応じて開封形態を変更できるカートンを提供する。【解決手段】対向する正面板１と背面板２と、対向する左右の側面板３，４と、背面板の上端部に連接する天面板５と、底部を有し、天面板には左右方向の天面部折罫６が設けられ、天面部折罫より正面板寄りの両側端縁に係止フラップ７、が連設され、左右の側面板の上端には、係止フラップを差し込んで係止する係止スリット９、９を有する側部フラップ１０、１０が設けられ、背面板には、切れ目からなる開封開始部１１と、開封開始部の両端からそれぞれ天面板の左右両隅部へ向かう背面易切断線１２、１２が設けられ、且つ、正面板、背面板、左右の側面板を一周するように設けられ、切り取ることにより上下に分離させる易開封帯１３が設けられている。【選択図】図３
2016204043.tif 000002
【特許請求の範囲】
【請求項１】
対向する正面板と背面板と、対向する左右の側面板と、前記背面板の上端部に連接する天面板と、底部を有し、前記天面板には左右方向の天面部折罫が設けられ、前記天面部折罫より正面板寄りの両側端縁に係止フラップが連設され、左右の前記側面板の上端には、前記係止フラップを差し込んで係止する係止スリットを有する側部フラップが設けられ、前記背面板には、切れ目からなる開封開始部と、前記開封開始部の両端からそれぞれ前記天面板の左右両隅部へ向かう背面易切断線が設けられ、さらに易開封帯が、前記正面板、前記背面板、左右の前記側面板を一周するように、且つ切り取ることにより上下に分離させるように設けられていることを特徴とするカートン。
【請求項２】
前記天面板が、前記天面部折罫より前記背面板側が水平で、前記正面板側が前下がりに傾斜した形状であることを特徴とする請求項１に記載のカートン。
【請求項３】
前記正面板の上端より上方に飛び出した表示部が設けられていることを特徴とする請求項２に記載のカートン。
【発明の詳細な説明】
【技術分野】
【０００１】
本発明は、カートンに関するものである。
【背景技術】
【０００２】
複数の商品を収納した集積箱で、輸送だけではなく、そのまま開封して店舗などに陳列することが行われている。このような時、カットテープを取り付け、あるいは、断続した切れ目を線状に並べた易切断線を２本並列して並べた易切断帯を設けておいて、これを用いて、胴部を一周するように切断して上部を開放して、商品を陳列することがよく行われている。
【０００３】
この場合、切断する箇所が一箇所であると、決まった向きにしか集積箱を開けることができないので、展示する場所によっては、違う向きに向けて置きたいことがある。この為、特許文献１の「縦横開封可能の陳列箱」には、陳列箱ごと展示する際に、展示スペースに合わせて、横置きとしたり、縦置きにしたり、自由に向きを変えられるようにした陳列箱が記載されている。
【０００４】
この陳列箱は、胴部を廻るように形成した横方向のジッパと、この横方向のジッパに交差する状態で、底部および胴部に跨って縦ジッパを形成し、交差部には各ジッパの切れ線の延長上に位置して２本の平行なミシン目を互い違いに刻設している。
【０００５】
この陳列箱では、スティック包装された商品のような、棒状の商品では、商品が横置きになるように展示した際に転がって落ちてしまうことが考えられ、このような棒状の商品にはあまり適していない。この為、スティック包装された商品のような、棒状の商品に向けた横でも縦でも展示可能なカートンが求められている。
【０００６】
公知文献を以下に示す。
【先行技術文献】
【特許文献】
【０００７】
【特許文献１】特開平１０−８６９３６号公報
【発明の概要】
【発明が解決しようとする課題】
【０００８】
本発明は上記のような事情に鑑みてなされたもので、棒状の商品が取り出しやすく、使用形態に応じて開封形態を変更できるカートンを提供することを課題とする。
【課題を解決するための手段】
【０００９】
本発明は係る課題に鑑みなされたものであり、請求項１の発明は、対向する正面板と背面板と、対向する左右の側面板と、前記背面板の上端部に連接する天面板と、底部を有し、前記天面板には左右方向の天面部折罫が設けられ、前記天面部折罫より正面板寄りの両側端縁に係止フラップが連設され、左右の前記側面板の上端には、前記係止フラップを差し込んで係止する係止スリットを有する側部フラップが設けられ、前記背面板には、切れ目からなる開封開始部と、前記開封開始部の両端からそれぞれ前記天面板の左右両隅部へ向かう背面易切断線が設けられ、さらに易開封帯が、前記正面板、前記背面板、左右の前記側面板を一周するように、且つ切り取ることにより上下に分離させるように設けられていることを特徴とするカートンである。
【００１０】
本発明のカートンは、以上のような構成であって、棒状の商品を立てた状態で収納させ梱包すると、開封開始部から背面易切断線を切断することにより、天面板が背面板から分離されるが、天面板の係止フラップが側部フラップの係止スリットに係止されているので、天面板が左右側面板と正面板に固定され、天面板を天面部折罫で外側に折り返して正面板と差込片８の間に、開封開始部から差し込むと、カートンの上部の天面部折罫と背面板の間が開いた状態で固定され、背面側を下にして置いて、開いた部分から収納された棒状の商品を取り出すことが出来る。
【００１１】
また、易開封帯を切断すれば、カートンを上下に分離することができ、底部を下にして置いて、上方に突き出た棒状の商品を取り出すことができる。このように、使用形態に応じて、開封形態を変えることができる。
【００１２】
本発明の請求項２の発明は、前記天面板が、前記天面部折罫より前記背面板側が水平で、前記正面板側が前下がりに傾斜した形状であることを特徴とする請求項１に記載のカートンである。
【００１３】
本発明は、前記天面板が、前記天面部折罫より背面板側が水平で、正面板側が前下がりに傾斜した形状であるので、意匠性が高く、アイキャッチ効果がある。
【００１４】
本発明の請求項３の発明は、前記正面板の上端より上方に飛び出した表示部が設けられていることを特徴とする請求項２に記載のカートンである。
【００１５】
本発明は、天面板が、天面部折罫より背面板側が水平で、正面板側が前下がりに傾斜した形状で、意匠性が高くアイキャッチ効果があるのに加え、正面板の上端より上方に飛び出した表示部が設けられているので、更に意匠性が高い。また、天面板の高いほうの位置より、表示部の上端を下に設ければ邪魔にはならない。
【００１６】
更にまた、背面易切断線を切断して、天面板を折り返して正面板と差込片８の間に開封開始部から差し込むときに、表示部をガイドにすれば容易に差し込めて、差し込んだ後も安定する。
【発明の効果】
【００１７】
本発明のカートンは、棒状の商品が取り出しやすく、使用形態に応じて開封形態を変更することができる。
【図面の簡単な説明】
【００１８】
【図１】本発明のカートンの第１の実施形態を模式的に斜視で示した説明図である。
【図２】本発明のカートンの第１の実施形態を模式的に背面側から斜視で示した説明図である。
【図３】本発明のカートンの第１の実施形態を天面板が開いた状態を模式的に示す斜視図である。
【図４】本発明のカートンの第１の実施形態で背面易切断線を切断して開封した状態を模式的に示す説明図である。
【図５】本発明のカートンの第１の実施形態で易開封帯を切り取って開封した状態を模式的に示す説明図である。
【図６】本発明のカートンの第１の実施形態のブランクを模式的に示した説明図である。
【図７】本発明のカートンの第１の実施形態を組み立てる方法を説明する模式図である。
【図８】本発明のカートンの第１の実施形態を組み立てる方法を説明する模式図である。
【図９】本発明のカートンの第２の実施形態を模式的に斜視で示した説明図である。
【図１０】本発明のカートンの第２の実施形態を模式的に背面側から斜視で示した説明図である。
【図１１】本発明のカートンの第２の実施形態を天面板が開いた状態を模式的に示す斜視図である。
【図１２】本発明のカートンの第２の実施形態で背面易切断線を切断して開封した状態を模式的に示す説明図である。
【図１３】本発明のカートンの第２の実施形態で易開封帯を切り取って開封した状態を模式的に示す説明図である。
【図１４】本発明のカートンの第２の実施形態のブランクを模式的に示した説明図である。
【図１５】本発明のカートンの第２の実施形態を組み立てる方法を説明する模式図である。
【図１６】本発明のカートンの第２の実施形態を組み立てる方法を説明する模式図である。
【発明を実施するための形態】
【００１９】
＜第１の実施形態＞
以下、本発明を実施するための第１の実施形態につき説明する。
図１は、本発明のカートンの第１の実施形態を模式的に斜視で示した説明図、図２は、本発明のカートンの第１の実施形態を模式的に背面側から斜視で示した説明図、図３は、本発明のカートンの第１の実施形態を天面板が開いた状態を模式的に示す斜視図、図４は、本発明のカートンの第１の実施形態で背面易切断線を切断して開封した状態を模式的に示す説明図、図５は、本発明のカートンの第１の実施形態で易開封帯を切り取って開封した状態を模式的に示す説明図である。
【００２０】
第１の実施形態のカートン１００は、図１の正面側からの斜視図、図２の背面側からの斜視図、図３の天面板が開いた状態の斜視図のように、対向する正面板１と背面板２と、対向する左側面板３と右側面板４を有する胴部と、背面板２の上端部に連接する天面板５を有する天部と、底部とからなっている。
【００２１】
天面板５には、左右方向の天面部折罫６が設けられている。そして、天面部折罫６より正面板１側の両側端縁に係止フラップ７、７が連設されている。また、天面板５の先端には、正面板１の内側に差し込む差込片８が設けられている。
【００２２】
左側面板３と右側面板４の上端には、それぞれ係止フラップ７、７を差し込んで係止する係止スリット９、９を有する側部フラップ１０、１０が設けられている。そして、背面板２には、切れ目からなる開封開始部１１と、開封開始部１１の左右両端からそれぞれ天面板５の左右両隅部へ向かう背面易切断線１２、１２が設けられている。背面易切断線１２、１２は複数の切れ目が繋ぎ部を介して線状に並んで形成されている。
【００２３】
図３の天面板５が開いた状態から、図１や図２のように天部を塞ぐには、係止フラップ７、７を、側部フラップ１０、１０の係止スリット９、９に差し込んで、差込片８を正面板１の内側に差し込む。
【００２４】
このようになっているので、開封開始部１１から背面易切断線１２を切断することにより、天面板５が背面板２から分離される。このとき、天面板５の先端に設けられた差込片８が正面板１の内方に差し込まれ、天面板５の係止フラップ７、７が側部フラップ１０、１０の係止スリット９、９に差し込まれ係止されているので、天面板５は正面板１と左側面板３、右側面板４に固定されている。
【００２５】
この状態で、天面板５を天面部折罫６で外側に折り返して、正面板１と差込片８の間に
、開封開始部１１から背面易切断線１２、１２で囲まれた部分を差し込むと、カートン１００の上部の天面部折罫６と背面板２の間が開いた状態で固定され、背面板２側を下にして置くと、図４のようになり、開いた部分から、立てた状態で収納された棒状の商品を取り出すことが出来る。
【００２６】
一方、易開封帯１３が、背面板２の左側端部より、左側面板３、正面板１、右側面板４と胴部を一周するように設けられている。易開封帯１３は、複数の切れ目が繋ぎ部を介して線状に並んだ易切断線が２本、上下に並んで形成されていて、２本の易切断線の間を帯状に切り取れるようになっている。
【００２７】
この易開封帯１３を切断して、底部を下にして置けば、図５のように、胴部を上下に分離させ、上部を取り去ることができるようになっている。そのため、カートン１００に立てて複数の棒状の商品を収納しておけば、上方に突き出た商品を１個ずつ取り出すことができる。
【００２８】
以上のように、カートン１００は、スティック包装された商品のような、複数の棒状の商品を立てた状態で収納して置くと、背面易切断線１２、１２を切断して前述のように開封して、背面側２を下にして陳列すれば、開封した部分が下になり、収納された棒状の商品を横に引っ張り出して取り出すことができる。
【００２９】
また、易開封帯１３を切り取り、胴部を上下に切断して上部を取り去り、底部を下にして置けば、上に突き出した棒状の商品を上に引き出して取り出すことができる。このように、陳列する状況に応じて、開封形態を変えることができる。
【００３０】
以下、本実施形態のカートン１００の製造方法について説明する。
図６は、本発明のカートンの第１の実施形態のブランクを模式的に示した説明図、図７は、本発明のカートンの第１の実施形態を組み立てる方法を説明する模式図、図８は、本発明のカートンの第１の実施形態を組み立てる方法を説明する模式図である。
【００３１】
本実施形態のカートン１００は、厚紙などのシート状材料で製造される。このシート状材料を打ち抜き、折罫を設けて、図６の平面図に示すブランク１０１（図は外面側から見た図）を作成し、これを必要に応じて糊貼りなどで接着して組み立てカートン１００を製造する。
【００３２】
カートン１００のブランク１０１は、正面板１の右側に右側面板４、左側に左側面板３が設けられ、左側面板３の左側に背面板２が設けられ、更に左側に貼着板１４が設けられている。
【００３３】
背面板２の上端には天面板５が連設されている。更に、天面板５の上端には差込片８が連設されている。また、天面板５には上下の中央部分に左右方向に伸びる天面部折罫６が設けられている。更にまた、天面板５には、天面部折罫６と差込片８側端部の間に位置する左右両端部には係止フラップ７、７が設けられている。
【００３４】
左側面板３と右側面板４の上端には、係止スリット９、９が設けられた側部フラップ１０、１０がそれぞれ設けられている。また、背面板２には、左右に両端部が設けられた切れ目からなる開封開始部１１が設けられ、開封開始部１１の両端部から天面板の下端の両隅部に向かう背面易切断線１２、１２がそれぞれ設けられている。
【００３５】
更に、繋ぎ部を介して複数の切れ目が線状に並んだ易切断線が２本上下に並列して形成された帯状に切り取ることにできる易開封帯１３が、背面板２から左側面板３、正面板１
、右側面板４に渡って胴部を一周するように設けられている。
【００３６】
また、貼着板１４にも、貼着したときに易開封帯１３と重なるように設けた切れ目と、この切れ目の間を結ぶ縦の切れ目が設けられている。この縦の切れ目は、製函後、易開封帯１３を切り取るときの開始部となる。
【００３７】
底部は、背面板２の下端に底面板１５が連設され、更に、底面板１５の下端に底差込片１６が設けられている。また、左側面板３と右側面板４の下端には、それぞれ底フラップ１７、１７が連設されている。
【００３８】
このブランク１０１からカートン１００を製函するには、まず、背面板２と左側面板３の間の折罫を折って、更に、正面板１と右側面板４の間の折罫を折る。そして、貼着板１４の外面と重なった右側面板４の内面を貼着し、図７のように成形する。
【００３９】
次に、正面板１、右側面板４、背面板２、左側面板３を角筒状に起こして、底フラップ１７、１７を内方に倒し、続いて、底面板１５を内方に倒して、底差込片１６を正面板１の内面に沿って差し込む。これにより、図８の正面図のように、あるいは、図３の斜視図のように、底部が形成されたカートン１００が製函される。
【００４０】
そして、天部を閉じるには、係止スリット９、９を内方に倒し、次に天面板５を倒しながら、係止フラップ７、７を側部フラップ１０、１０の係止スリット９、９に差し込み、また、差込片８を正面板１の内面に沿って差し込む。これにより、カートン１００が、図１、図２のように製函される。
【００４１】
＜第２の実施形態＞
以下本発明を実施するための第２の実施形態につき説明する。
図９は、本発明のカートンの第２の実施形態を模式的に斜視で示した説明図、図１０は、本発明のカートンの第２の実施形態を模式的に背面側から斜視で示した説明図、図１１は、本発明のカートンの第２の実施形態を天面板が開いた状態を模式的に示す斜視図、図１２は、本発明のカートンの第２の実施形態で背面易切断線を切断して開封した状態を模式的に示す説明図、図１３は、本発明のカートンの第２の実施形態で易開封帯を切り取って開封した状態を模式的に示す説明図である。
【００４２】
第２の実施形態のカートン２００は、図９の正面側からの斜視図、図１０の背面側からの斜視図、図１１の天面板が開いた状態の斜視図のように、対向する正面板２１と背面板２２と、対向する左側面板２３と右側面板２４を有する胴部と、背面板２２の上端部に連接する天面板２５を有する天部と、底部とからなっている。
【００４３】
天面板２５には、左右方向の天面部折罫２６が設けられていて、天面部折罫２６より背面板２２側が水平で、天面部折罫２６より正面板２１側が前下がりに傾斜する形状になっている。そして、傾斜した天面部折罫２６より正面板２１側の両側端縁に係止フラップ２７、２７が連設されている。また、天面板２５の先端には、正面板２１の内側に差し込む差込片２８が設けられている。
【００４４】
左側面板２３と右側面板２４は天面板２５に合わせて、上端の形状が、背面板２２側が水平で、正面板２２側が傾斜した形状になっている。そして、左側面板２３と右側面板２４の上端の傾斜部分には、それぞれ係止フラップ２７、２７を差し込んで係止する係止スリット２９、２９を有する側部フラップ３０、３０が設けられ、水平な部分には補助フラップ３５、３５が設けられている。
【００４５】
背面板２２には、切れ目からなる開封開始部３１と、開封開始部３１の左右両端からそれぞれ天面板２５の左右両隅部へ向かう背面易切断線３２、３２が設けられている。背面易切断線３２、３２は、複数の切れ目が繋ぎ部を介して線状に並んで形成されている。
【００４６】
正面板２１は、天面板２５の背面板２２側が水平で、正面板２２側が傾斜した形状になっているので、背面板２２より低くなっているが、上端の左右中央部分に上方に突き出た半円形の表示部３６が設けられている。
【００４７】
この表示部３６が正面板２１の上に突き出ているので、ここにアイキャッチコピーなどを表示することによって、店舗などで陳列する際に目を引きやすくなる。また、表示部３６の上端の位置は、背面板２２の上端よりは低くなるように設けられている。そのため、流通過程において邪魔になることはない。
【００４８】
図１１の天面板２５が開いた状態から、図９や図１０のように天部を塞ぐには、補助フラップ３５、３５を内方に倒して、係止フラップ２７、２７を、側部フラップ３０、３０の係止スリット２９、２９に差し込んで、差込片２８を正面板２１の内側に差し込む。
【００４９】
このようになっているので、開封開始部３１から背面易切断線３２を切断することにより、天面板２５が背面板２２から分離される。このとき、天面板２５の先端に設けられた差込片２８が正面板２１の内方に差し込まれ、天面板２５の係止フラップ２７、２７が側部フラップ３０、３０の係止スリット２９、２９に差し込まれ係止されているので、天面板２５は正面板２１と左側面板２３、右側面板２４に固定されている。
【００５０】
この状態で、天面板２５を天面部折罫２６で外側に折り返して表示部３６の裏側を通して正面板２１と差込片２８の間に、開封開始部３１から背面易切断線３２、３２で囲まれた部分を差し込むと、カートン２００の上部の天面部折罫２６と背面板２２の間が開いた状態で固定され、背面板２２側を下にして置いて、図１２のように、開いた部分から、立てた状態で複数収納された棒状の商品を、一つずつ取り出すことが出来る。また、表示部３６を設けてあるので、差し込むときガイドとなり差し込みやすい。また、陳列したときに、表示部３６が見えて、目を引きやすい。
【００５１】
一方、背面板２２の左側端部より、左側面板２３、正面板２１、右側面板２４と胴部を一周するように易開封帯３３が設けられている。易開封帯３３は複数の切れ目が繋ぎ部を介して線状に並んだ易切断線が２本、上下に並んでいて、２本の易切断線の間を帯状に切り取れるようになっている。
【００５２】
この易開封帯３３を切り取って、胴部を上下に分離させ、上部を取り去って、底部を下にして置けば、図１３のようになる。そのため、カートン２００に立てて複数の棒状の商品を収納しておけば、上方に突き出た商品を取り出すことができる。
【００５３】
以上のように、カートン２００は、スティック包装された商品のような、棒状の商品を複数、立てた状態で収納して置くと、背面易切断線３２、３２を切断して前述のように開封して、背面側２２を下にして陳列すれば、開封した部分が下になり、収納された棒状の商品を横に引っ張り出して取り出すことができる。
【００５４】
また、易開封帯３３を切り取り、胴部を上下に切断して上部を取り去り、底部を下にしておけば、上に突き出した棒状の商品を上に引き出して取り出すことができる。このように、陳列する状況に応じて、開封形態を変えることができる。
【００５５】
そして、天面板２５が、天面部折罫２６より背面板２２側が水平で、正面板２５側が前
下がりに傾斜した形状であるので、意匠性が高く、アイキャッチ効果がある。また、正面板２１の上端より上方に飛び出した表示部３６が設けられているので、更に意匠性が高くなる。
【００５６】
更にまた、表示部３６の上端を背面板２２の上端より低く設ければ、流通過程などで邪魔になることもない。そして、背面易切断線３２を切断して、天面板２５を折り返して正面板２１と差込片２８の間に開封開始部３１から差し込むときに、表示部３６があると容易に差し込めて、差し込んだ後も安定する。
【００５７】
以下、本実施形態のカートン２００の製造方法について説明する。
図１４は、本発明のカートンの第２の実施形態のブランクを模式的に示した説明図、図１５は、本発明のカートンの第２の実施形態を組み立てる方法を説明する模式図、図１６は、本発明のカートンの第２の実施形態を組み立てる方法を説明する模式図である。
【００５８】
本実施形態のカートン２００は、厚紙などのシート状材料で製造される。このシート状材料を打ち抜き、折罫を設けて、図１４の平面図に示すブランク２０１（図は外面側から見た図）を作成し、これを必要に応じて糊貼りなどで接着して組み立て、カートン２００を製造する。
【００５９】
カートン２００のブランク２０１は、正面板２１の右側に右側面板２４、左側に左側面板２３が設けられ、左側面板２３の左側に背面板２２が設けられ、更に左側に貼着板３４が設けられている。
【００６０】
背面板２２の上端には天面板２５が連設されている。更に、天面板２５の上端には差込片２８が連設されている。また、天面板２５には上下の中央部分に左右方向に伸びる天面部折罫２６が設けられている。更にまた、天面板２５には、天面部折罫２６と差込片２８側端部の間に位置する左右両端部には係止フラップ２７、２７が設けられている。
【００６１】
左側面板２３と右側面板２４の上端の形状が、背面板２２側が水平で、正面板２２側が傾斜した形状になっている。そして、左側面板２３と右側面板２４の上端の傾斜部分には、それぞれ係止フラップ２７、２７を差し込んで係止する係止スリット２９、２９を有する側部フラップ３０、３０が設けられ、水平な部分には補助フラップ３５、３５が設けられている。
【００６２】
また、背面板２２には、左右に両端部がある切れ目からなる開封開始部３１が設けられ、開封開始部３１の両端部から天面板の下端の両隅部に向かう背面易切断線３２、３２がそれぞれ設けられている。
【００６３】
更に、繋ぎ部を介して複数の切れ目が線状に並んだ易切断線が２本上下に並列して形成された帯状に切り取ることにできる易開封帯１３が、背面板２２から左側面板２３、正面板２１、右側面板２４に渡って胴部を一周するように設けられている。
【００６４】
また、貼着板３４にも貼着したときに易開封帯３３と重なるように設けた切れ目と、この切れ目の間を結ぶ縦の切れ目が設けられている。この縦の切れ目は、製函後、易開封帯３３を切り取るときの開始部となる。
【００６５】
本実施形態のカートン２００の底部は、ＪＩＳ−Ｚ−１５０７「段ボール箱の形式」コード番号０７１２の形状である。
【００６６】
正面板２１の下端に前側底面板３７が設けられ、更に前側底面板３７には斜め方向の折
罫を介して貼着折曲板３９が連設され、また同様に、背面板２２の下端に後側底面板３８が設けられ、更に後側底面板３８には斜め方向の折罫を介して貼着折曲板３９が連設されている。
【００６７】
他の折罫は押罫で良いが、この２つの折罫は、折り曲げやすいようにリード罫にすることが好ましい。そして、左側面板２３の下端には、底側フラップ４０が連設され、右側面板２４の下端には、底側フラップ４１が連設されている。
【００６８】
このブランク２０１からカートン２００を製函するには、まず、背面板２２と左側面板２３の間の折罫を折って、更に、正面板２１と右側面板２４の間の折罫を折る。そして、重なった貼着板３４の外面と、右側面板２４の内面を貼着し、図１５のように成形する。
【００６９】
次に、正面板２１、右側面板２４、背面板２２、左側面板２３を角筒状に起こして、底側フラップ４０、４１を内側に折り返し、前側底面板３７と後側底面板３８の貼着折曲板３９、３９を外側に折り返し、貼着折曲板３９、３９の裏側に接着剤を付けて、再度胴部を角筒状から平坦になるように戻して押圧し、底側フラップ４０、４１に貼着折曲板３９、３９を接着させる。
【００７０】
この底側フラップ４０、４１と貼着折曲板３９、３９の接着は、胴部の貼着板３４と、右側面板２４との接着時に同時に行うこともできる。このように底部を形成して胴部を角筒上に起こすと、底部は自動的に広がって形成される。これにより、図１６の正面図のように、あるいは、図１１の斜視図のように、底部が形成されたカートン２００が製函される。
【００７１】
そして、天部を閉じるには、係止スリット２９、２９を内方に倒し、次に天面板２５を倒しながら、係止フラップ２７、２７を側部フラップ３０、３０の係止スリット２９、２９に差し込み、また、差込片２８を正面板２１の内面に沿って差し込む。これにより、カートン２００が、図９、図１０のように製函される。
【００７２】
以上のように、本発明のカートンは、中に複数収納したスティック包装された商品のような棒状の商品が取り出しやすく、店舗で展示する場所に適する使用形態に応じて開封形態を変更できる。
【００７３】
また、天面板を、背面板側が水平で、正面板側が前下がりに傾斜した形状することもでき、意匠性を高めることができる。更に、正面板の上端より上方に飛び出した表示部を設けルこともでき、より一層、意匠性を高めることもできる。この表示部を設けておくと、背面易切断線を切断して、天面板を折り返して正面板と差込片の間に開封開始部から差し込むときに、容易に差し込めて、差し込んだ後も安定する。
【符号の説明】
【００７４】
１００、２００・・・カートン
１０１、２０１・・・ブランク
１、２１・・・正面板
２、２２・・・背面板
３、２３・・・左側面板
４、２４・・・右側面板
５、２５・・・天面板
６、２６・・・天面部折罫
７、２７・・・係止フラップ
８、２８・・・差込片
９、２９・・・係止スリット
１０、３０・・・側部フラップ
１１、３１・・・開封開始部
１２、３２・・・背面易切断線
１３、３３・・・易開封帯
１４、３４・・・貼着板
１５・・・底面板
１６・・・底差込片
１７・・・底フラップ
３５・・・補助フラップ
３６・・・表示部
３７・・・前側底面板
３８・・・後側底面板
３９・・・貼着折曲板
４０、４１・・・底側フラップ
【図１】
2016204043.tif 000003
【図２】
2016204043.tif 000004
【図３】
2016204043.tif 000005
【図４】
2016204043.tif 000006
【図５】
2016204043.tif 000007
【図６】
2016204043.tif 000008
【図７】
2016204043.tif 000009
【図８】
2016204043.tif 000010
【図９】
2016204043.tif 000011
【図１０】
2016204043.tif 000012
【図１１】
2016204043.tif 000013
【図１２】
2016204043.tif 000014
【図１３】
2016204043.tif 000015
【図１４】
2016204043.tif 000016
【図１５】
2016204043.tif 000017
【図１６】
2016204043.tif 000018